(57)【要約】【課題】スタッフの訪問が無駄になるのを抑制すること。【解決手段】サーバ装置１０は、あるスタッフが居所におけるサービスを行う対象として複数の居所が登録された場合に、複数の居所のそれぞれについて、対応づけて登録された居住者の一覧を表示するとともに、一覧のうち、現在時刻において来訪の忌避が登録された個々の居住者と現在時刻において来訪の忌避が登録されていない個々の居住者とを識別可能に表示する。【選択図】図２
2015198311.tif 000002
【特許請求の範囲】
【請求項１】
あるスタッフが居所におけるサービスを行う対象として複数の居所が登録された場合に、前記複数の居所のそれぞれについて、対応づけて登録された居住者の一覧を表示するとともに、前記一覧のうち、現在時刻において来訪の忌避が登録された個々の居住者と現在時刻において来訪の忌避が登録されていない個々の居住者とを識別可能に表示する、
処理をコンピュータに実行させることを特徴とする表示プログラム。
【請求項２】
前記忌避は、不在による忌避、他の来訪予定の存在による忌避、入居者による入室を拒む旨の設定による忌避のいずれかである、ことを特徴とする請求項１記載の表示プログラム。
【請求項３】
現在時刻に対応する時間部分を他の時間部分と異なる表示態様で表示することを特徴とする請求項１又は２に記載の表示プログラム。
【請求項４】
コンピュータが、
あるスタッフが居所におけるサービスを行う対象として複数の居所が登録された場合に、前記複数の居所のそれぞれについて、対応づけて登録された居住者の一覧を表示するとともに、前記一覧のうち、現在時刻において来訪の忌避が登録された個々の居住者と現在時刻において来訪の忌避が登録されていない個々の居住者とを識別可能に表示する、
処理を実行することを特徴とする表示方法。
【請求項５】
あるスタッフが居所におけるサービスを行う対象として複数の居所が登録された場合に、前記複数の居所のそれぞれについて、対応づけて登録された居住者の一覧を表示するとともに、前記一覧のうち、現在時刻において来訪の忌避が登録された個々の居住者と現在時刻において来訪の忌避が登録されていない個々の居住者とを識別可能に表示する表示制御部
を有することを特徴とする情報処理装置。
【発明の詳細な説明】
【技術分野】
【０００１】
本発明は、表示プログラム、表示方法及び情報処理装置に関する。
【背景技術】
【０００２】
高齢者等が安心して居住できる住宅の一例として、サービス付き高齢者向け住宅が知られている。かかるサービス付き高齢者向け住宅では、安否確認が定期的に実施される。例えば、安否確認が実施される場合、スタッフが入居者の部屋を順番に訪問し、部屋の安否、居住者の安否が確認される。
【０００３】
このように、入居者全員について安否確認を実施する場合、部屋単位で訪問がなされることが多い。このことから、見回りを行うスタッフが持ち歩く携帯端末に対し、部屋および部屋の代表者、例えば世帯主の一覧を表示させる場合がある。
【先行技術文献】
【特許文献】
【０００４】
【特許文献１】特開２００６−１６３５９０号公報
【発明の概要】
【発明が解決しようとする課題】
【０００５】
しかしながら、上記の技術では、スタッフが入居者の部屋に訪問しても入居者が不在であることが多く、スタッフの訪問が無駄になる場合がある。
【０００６】
１つの側面では、本発明は、スタッフの訪問が無駄になるのを抑制できる表示プログラム、表示方法及び情報処理装置を提供することを目的とする。
【課題を解決するための手段】
【０００７】
一態様の表示プログラムは、あるスタッフが居所におけるサービスを行う対象として複数の居所が登録された場合に、前記複数の居所のそれぞれについて、対応づけて登録された居住者の一覧を表示するとともに、前記一覧のうち、現在時刻において来訪の忌避が登録された個々の居住者と現在時刻において来訪の忌避が登録されていない個々の居住者とを識別可能に表示する処理をコンピュータに実行させる。
【発明の効果】
【０００８】
スタッフの訪問が無駄になるのを抑制できる。
【図面の簡単な説明】
【０００９】
【図１】図１は、実施例１に係る状況入力支援システムの構成を示す図である。
【図２】図２は、実施例１に係るサーバ装置の機能的構成を示すブロック図である。
【図３】図３は、対応関係記憶部に記憶される情報の一例を示す図である。
【図４】図４は、実施情報記憶部に記憶される情報の一例を示す図である。
【図５】図５は、スケジュール記憶部に記憶される情報の一例を示す図である。
【図６】図６は、実施記録画面の一例を示す図である。
【図７】図７は、スケジュール画面の一例を示す図である。
【図８】図８は、実施例１に係る表示処理の手順を示すフローチャートである。
【図９】図９は、実施例１及び実施例２に係る表示プログラムを実行するコンピュータの一例について説明するための図である。
【発明を実施するための形態】
【００１０】
以下に添付図面を参照して本願に係る表示プログラム、表示方法及び情報処理装置について説明する。なお、この実施例は開示の技術を限定するものではない。そして、各実施例は、処理内容を矛盾させない範囲で適宜組み合わせることが可能である。
【実施例１】
【００１１】
［システム構成］
図１は、実施例１に係る状況入力支援システムの構成を示す図である。図１に示す状況入力支援システム１は、高齢者等が安心して居住できる住宅、例えばサービス付き高齢者向け住宅に居住する入居者に関する安否確認などの状況入力を支援する状況入力支援サービスを実現するものである。なお、以下では、一例として、サービス付き高齢者向け住宅がマンションやアパートなどの集合住宅に各々が独立して区画された部屋および入居者に対し、安否確認が実施される場合を例示するが、必ずしもサービス付き高齢者向け住宅は集合住宅でなくともよい。
【００１２】
図１に示すように、状況入力支援システム１には、サーバ装置１０と、クライアント端末３０Ａ〜３０Ｃとが収容される。なお、図１には、システムに３つのクライアント端末が収容される場合を図示したが、各クライアント端末の数は図示の例に限定されず、状況入力支援システム１は任意の数のクライアント端末を収容できる。なお、以下では、クライアント３０Ａ〜３０Ｃの各装置を区別なく総称する場合には、「クライアント端末３０」と記載する場合がある。
【００１３】
これらサーバ装置１０及びクライアント端末３０の間は、ネットワーク５を介して相互に通信可能に接続される。かかるネットワーク５には、一例として、有線または無線を問わず、インターネット（Internet）を始め、ＬＡＮ（Local  Area  Network）やＶＰＮ（Virtual  Private  Network）などの任意の種類の通信網を採用できる。
【００１４】
サーバ装置１０は、クライアント端末３０に上記の状況入力支援サービスを提供するコンピュータである。
【００１５】
一実施形態として、サーバ装置１０は、パッケージソフトウェアやオンラインソフトウェアとして上記の状況入力支援サービスを実現する状況入力支援プログラムを所望のコンピュータにインストールさせることによって実装できる。例えば、サーバ装置１０は、上記の状況入力支援サービスを提供するＷｅｂサーバとして実装することとしてもよいし、アウトソーシングによって上記の情報提供サービスを提供するクラウドとして実装することとしてもかまわない。
【００１６】
クライアント端末３０は、サーバ装置１０から上記の状況入力支援サービスの提供を受けるコンピュータである。
【００１７】
一実施形態として、クライアント端末３０には、タブレット型の情報処理端末、いわゆるタブレット端末を採用できる。これはあくまで実装形態の１つに過ぎない。例えば、クライアント端末３０には、スマートフォンを始め、携帯電話機やＰＨＳ（Personal  Handyphone  System）などに代表される移動体通信端末を採用することもできるし、ノート型のパーソナルコンピュータを採用することもできる。この他、携帯型の端末装置であれば、任意の装置をクライアント端末３０として採用できる。
【００１８】
かかるクライアント端末３０は、一例として、上記のサービス付き高齢者向け住宅で安否確認や生活相談などのサービスを提供するサービス提供者によって使用される。以下では、サービス担当者のことを「スタッフ」と記載する場合がある。スタッフは、クライアント端末３０を通じて、安否確認を実施する部屋や入居者の一覧を表示させたり、入居者のスケジュールを表示させたり、安否確認の実施結果を入力させたりといった状況入力支援サービスの提供を受けることができる。
【００１９】
［サーバ装置１０の構成］
図２は、実施例１に係るサーバ装置１０の機能的構成を示すブロック図である。図２に示すように、サーバ装置１０は、通信Ｉ／Ｆ（interface）部１１と、対応関係記憶部１２と、実施情報記憶部１３と、スケジュール記憶部１４と、受信部１５と、登録部１６と、表示制御部１７とを有する。なお、サーバ装置１０は、図２に示す機能部以外にも既知のコンピュータが有する各種の機能部、例えば各種の入力デバイスや音声出力デバイスなどの機能部を有することとしてもかまわない。
【００２０】
通信Ｉ／Ｆ部１１は、他の装置、例えばクライアント端末３０との間で通信制御を行うインタフェースである。
【００２１】
一実施形態として、上記の通信Ｉ／Ｆ部１１には、ＬＡＮカードなどのネットワークインタフェースカードを採用できる。例えば、通信Ｉ／Ｆ部１１は、部屋及び入居者の一覧やスケジュールなどの各種の画面をクライアント端末３０へ送信したり、クライアント端末３０から各種の画面を介して入力された情報を受信したりする。
【００２２】
対応関係記憶部１２は、部屋および入居者の対応関係を記憶する記憶部である。
【００２３】
一実施形態として、対応関係記憶部１２は、部屋番号、入居者ＩＤ（IDentifier）および入居者などの項目が対応付けられたデータを記憶することができる。ここで言う「部屋番号」とは、部屋を識別する番号を指す。また、「入居者」とは、部屋に入居する者を指す。また、「入居者ＩＤ」とは、入居者を識別する識別情報を指す。
【００２４】
図３は、対応関係記憶部１２に記憶される情報の一例を示す図である。図３には、サービス付き高齢者向け住宅の１Ｆのフロアに関する部屋および入居者が例示されており、部屋番号「１０１」〜部屋番号「１０８」の８つの部屋に入居する８名の入居者が例示されている。図３に示す例では、部屋番号「１０１」〜部屋番号「１０８」の各部屋には、単身の入居者が居住していることを意味する。なお、ここでは、単身の入居者を例示したが、１つの部屋に複数の入居者が登録されることとしてもかまわない。
【００２５】
実施情報記憶部１３は、上記の状況入力支援サービスに関する実施結果を記憶する記憶部である。
【００２６】
一実施形態として、実施情報記憶部１３は、部屋番号、入居者、時間、人の安否確認、部屋の安否確認および備考などの項目が対応付けられたデータを記憶することができる。ここで言う「時間」とは、安否確認が実施される時間を指す。また、「人の安否確認」とは、入居者に関する安否確認を指す。例えば、入居者の健康状態、例えばバイタルに問題がない場合にスタッフによって「○（異常なし）」が入力される一方で、健康状態に異常がある場合にスタッフによって「異常あり」が入力される。また、「部屋の安否確認」とは、部屋に関する安否確認を指し、例えば、ドア・窓の施錠、さらには、電気・水道・ガスなどの細目を含む。例えば、部屋のドア及び窓が施錠されている場合にスタッフによって「○」が入力される一方で、施錠されていない場合にスタッフによって「異常あり」が入力される。また、電気、水道及びガス等のインフラに異常がない場合にスタッフによって「○」が入力される一方で、異常がある場合にスタッフによって「異常あり」が入力される。また、「備考」とは、参考として付記される事項を指し、例えば、異常ありの入力がなされた場合にその異常に関する内容、例えば異常の原因や状況などを報告するのに用いられる。
【００２７】
図４は、実施情報記憶部１３に記憶される情報の一例を示す図である。図４には、図３に示した例のうち部屋番号「１０１」〜部屋番号「１０３」の部屋およびその入居者に関する状況入力が抜粋して示されている。図４に示す例では、部屋番号「１０２」の部屋の安否確認のうち電気・水道・ガスに異常がある以外には、ドア・窓の施錠や佐藤次郎にも異常はなく、他の部屋および入居者にも異常がない安全な状態であることを意味する。さらに、備考の通り、部屋番号「１０２」の部屋の異常が水道の蛇口の緩みであることを意味する。なお、図４に示す部屋の安否確認の細目では、細目内の項目をＡＮＤ条件で安否を確認する場合を例示したが、細目内の項目の各々に安否を入力できることとしてもよい。
【００２８】
スケジュール記憶部１４は、入居者のスケジュールを記憶する記憶部である。
【００２９】
一実施形態として、スケジュール記憶部１４は、スケジュールＩＤ、入居者ＩＤ、忌避区分、タイトル、開始時間および終了時間などの項目が対応付けられたデータを記憶することができる。ここで言う「スケジュールＩＤ」は、スケジュールを識別する識別情報を指す。また、「忌避区分」とは、入居者の部屋への来訪を忌避する区分を指し、例えば、不在による忌避、他の来訪予定の存在による忌避、入居者による入室を拒む旨の忌避などが挙げられる。また、「タイトル」とは、スケジュールの表題や題名を指し、例えば、スケジュールの登録者が任意の名称を設定できる。また、「開始時間」とは、スケジュールに対応する行動が開始される時間を指す一方で、「終了時間」とは、スケジュールに対応する行動が終了される時間を指す。
【００３０】
図５は、スケジュール記憶部１４に記憶される情報の一例を示す図である。図５には、スケジュールＩＤ「S0001」によって識別される予定は、佐藤次郎に関する予定であり、佐藤次郎が不在によって２０１３年１０月２６日１５時〜２０１３年１０月２７日１８時まで部屋への来訪を忌避することを意味する。また、スケジュールＩＤ「S0002」によって識別される予定は、鈴木三郎に関する予定であり、鈴木三郎が来訪者によって２０１３年１０月２７日１３時〜２０１３年１０月２７日１６時まで部屋への来訪を忌避することを意味する。また、スケジュールＩＤ「S0003」によって識別される予定は、田中やすよに関する予定であり、田中やすよが入禁によって２０１３年１０月２７日１２時〜２０１３年１０月２７日１６時４０分まで部屋への来訪を忌避することを意味する。さらに、スケジュールＩＤ「S0004」によって識別される予定は、山田太郎に関する予定であり、山田太郎が不在によって２０１３年１０月２７日９時〜２０１３年１０月２７日１０時まで部屋への来訪を忌避することを意味する。なお、上記の外部スキーマは、あくまで一例であり、スケジュールの期間は任意の単位で登録することができるのは言うまでもない。
【００３１】
受信部１５は、後述の表示制御部１７によってクライアント端末３０へ出力された各種の画面に対する入力情報を受信する処理部である。
【００３２】
一実施形態として、受信部１５は、クライアント端末３０に表示された画面内のＧＵＩ（Graphical  User  Interface）、例えばボタン、タブ、プルダウンメニュー、入力フォームなどに入力された情報を受信する。例えば、受信部１５は、クライアント端末３０に部屋番号及び入居者の一覧と、安否確認の状況入力欄とを含む実施記録画面が表示された状態で、各種の情報を受信する。一例として、実施記録画面に含まれる一覧のうち特定の部屋番号及び入居者の欄が選択された場合には、入居者、部屋番号もしくはこれらの組合せのいずれかを識別する情報を受信する。他の一例として、実施記録画面に含まれる状況入力欄で部屋または入居者の安否確認の項目に対し、「○」または「異常あり」のボタンが入力された場合には、入力されたボタンに対応する情報、すなわち安否の結果を受信する。更なる一例として、実施記録画面に含まれる状況入力欄の備考の入力フォームにテキストが入力された状態で保存ボタンが入力された場合には、実施結果の登録要求とともに当該テキストの文字列を受信する。また、受信部１５は、クライアント端末３０にスケジュールの入力欄を含むスケジュール登録画面が表示された状態で、各種の情報を受信することもできる。一例として、スケジュール登録画面に含まれる入力欄に対し、入居者、忌避区分、タイトル、スケジュールの開始時間および終了時間などのスケジュールに登録に用いる情報を受信する。
【００３３】
登録部１６は、スケジュールや安否確認の実施結果などの各種情報を登録する処理部である。
【００３４】
一実施形態として、登録部１６は、状況入力欄で入力された部屋に関する安否確認の結果や入居者に関する安否確認の実施結果が受信部１５によって受信された場合、当該安否確認の実施結果を実施情報記憶部１３へ登録する。また、登録部１６は、スケジュール画面の入力欄で入力された入居者、忌避区分、タイトル、スケジュールの開始時間および終了時間が受信部１５によって受信された場合にスケジュールＩＤを採番する。その上で、登録部１６は、採番を行ったスケジュールＩＤに入居者、忌避区分、タイトル、スケジュールの開始時間および終了時間を対応付けてスケジュール記憶部１４へ登録する。なお、ここでは、スタッフが入居者のスケジュールを代理して登録する場合を例示したが、入居者が使用する情報処理端末を通じてスケジュール登録を行うこととしてもかまわない。
【００３５】
図６は、実施記録画面の一例を示す図である。図６には、入居者ＩＤ「００１」の山田太郎に関する安否確認の実施結果を入力する実施記録画面２００の一例が示されている。図６に示す実施記録画面２００には、一覧２１０と、状況入力欄２４０とが含まれる。一覧２１０には、部屋番号と世帯主が対応付けられた選択欄が縦方向に昇順で整列される。すなわち、本例では、一覧２１０に、「１０１  山田太郎」、「１０２  佐藤次郎」、・・・、「１０８  渡辺七郎」の順に選択欄が整列している。
【００３６】
また、状況入力欄２４０には、一覧２１０の選択状態をキャンセルするキャンセルボタン２３１と、状況入力欄２４０に入力された入力情報を保存する保存ボタン２３２と、スタッフが部屋を訪問した時間を選択するプルダウンメニュー２３３とが含まれる。さらに、状況入力欄２４０には、山田太郎の安否に「○」を入力する○ボタン２４１と、山田太郎の安否に「異常あり」を入力する異常ありボタン２４２とが含まれる。これらＧＵＩのうち、○ボタン２４１または異常ありボタン２４２のいずれかが選択された状態で保存ボタン２３２が押下操作されることによって山田太郎に関する安否確認の実施結果が実施情報記憶部１３へ登録されることになる。
【００３７】
スタッフが部屋に訪問する場合に入居者が忌避しない場合には、図６に示した状況入力欄２４０を通じて安否確認の実施結果が実施情報記憶部１３へ登録できる。ところが、スタッフが部屋に訪問する場合に入居者が忌避する場合には、スタッフは部屋の安否確認の一部を実施することはできても、入居者の安否確認を実施することができず、その訪問が無駄になる場合がある。
【００３８】
このことから、次に説明する表示制御部１７によって入居者のうち来訪者を忌避する入居者を識別できるスケジュール表示が実現される。
【００３９】
表示制御部１７は、クライアント端末３０に対する各種の表示制御を実行する処理部である。
【００４０】
一実施形態として、表示制御部１７は、メインメニュー画面上でスケジュール画面の表示要求を受け付けた場合に、次のような処理を実行する。すなわち、表示制御部１７は、対応関係記憶部１２に記憶された部屋番号ごとに当該部屋番号に対応付けられた入居者を取得する。続いて、表示制御部１７は、スケジュール記憶部１４に記憶されたスケジュールの各レコードを取得する。その上で、表示制御部１７は、対応関係記憶部１２に記憶された入居者ＩＤのうち入居者ＩＤを１つ選択する。そして、表示制御部１７は、スケジュール記憶部１４から読み出されたレコードの中に、先に選択された入居者ＩＤを含み、かつ開始時間及び終了時間によって定まる期間に現在時刻を含むか否か、すなわち入居者にスケジュール登録があるか否かを判定する。このとき、表示制御部１７は、スケジュール登録がある場合、当該入居者ＩＤに対応する入居者の表示色をグレーに設定する。一方、表示制御部１７は、スケジュール登録がない場合、当該入居者ＩＤに対応する入居者の表示色をホワイトに設定する。その後、表示制御部１７は、全ての入居者について上記のスケジュール登録の探索を終了すると、先に設定された各入居者の表示色にしたがって部屋番号及び入居者とスケジュールとが対応付けられたスケジュール表を含むスケジュール画面をクライアント端末３０に表示させる。
【００４１】
図７は、スケジュール画面の一例を示す図である。図７には、現在時刻が２０１３年１０月２７日１３時２０分である場合に、図５に示したスケジュール記憶部１４の記憶内容にしたがって作成されたスケジュール画面である。図７に示すように、スケジュール画面３００では、来訪者を忌避するスケジュールが図５に示すスケジュール記憶部１４に登録されている佐藤次郎、鈴木三郎および田中やすよがグレーに表示されるとともに、それがない山田太郎や荒木五郎がホワイトで表示されている。これによって、スタッフは、上記３名、すなわち佐藤次郎、鈴木三郎および田中やすよの部屋に訪問を行っても無駄足になる可能性が高いことを訪問前に把握できる。このため、上記３名の部屋への訪問を自粛する結果、スタッフの訪問が無駄になるのを抑制できる。さらに、スケジュール画面３００には、現在時刻に対応する部分にバー３１０が表示される。このため、忌避の登録があるスケジュールの期間と、現在時刻との相互関係を把握しやすくできる。また、スケジュール画面３００では、忌避のスケジュール登録がない山田太郎や荒木五郎の表示欄に実施記録画面を呼び出す入力ボタン３２０Ａ及び３２０Ｂが表示される。例えば、入力ボタン３２０Ａが押下された場合には、図６に示した実施記録画面２００が表示される。このため、スケジュールと実施記録の連携を実現できる。なお、スケジュール画面３００上の戻るボタン３３０が押下された場合には、メインメニュー画面に戻ることができる。
【００４２】
他の一側面として、表示制御部１７は、メインメニュー画面上で部屋および入居者の安否確認の実施結果を記録する実施記録画面の表示要求を受け付けた場合に、次のような処理を実行する。すなわち、表示制御部１７は、対応関係記憶部１２に記憶された部屋番号ごとに当該部屋番号の入居者を検索する。その上で、表示制御部１７は、部屋番号及び入居者の一覧を含む実施記録画面をクライアント端末３０へ出力する。その後、表示制御部１７は、実施記録画面に含まれる一覧のうち特定の部屋番号及び入居者の欄が選択された場合、次のような処理を実行する。すなわち、表示制御部１７は、クライアント端末３０に当該部屋番号の部屋に関する安否確認、例えば「ドア・窓の施錠」や「電気・水道・ガス」などの実施結果を入力するＧＵＩを含む状況入力欄をクライアント端末３０へ出力する。このように、部屋の安否確認を入居者の安否確認よりも先に表示させるのは、部屋に入らずとも部屋の外に訪れた段階で確認できる安否確認が存在するからである。その後、表示制御部１７は、状況入力欄で入力された部屋に関する安否確認の実施結果が実施情報記憶部１３へ登録された場合に、次のような処理を実行する。すなわち、表示制御部１７は、一覧で選択を受け付けた入居者に関する安否確認の実施結果を入力するＧＵＩを含む状況入力欄をクライアント端末３０へ出力する。この場合、一例として、図６に示した実施記録画面２００が表示される。
【００４３】
なお、上記の受信部１５、登録部１６及び表示制御部１７は、ＣＰＵ（Central  Processing  Unit）やＭＰＵ（Micro  Processing  Unit）などに状況入力支援プログラムを実行させることによって実現できる。また、上記の各機能部は、ＡＳＩＣ（Application  Specific  Integrated  Circuit）やＦＰＧＡ（Field  Programmable  Gate  Array）などのハードワイヤードロジックによっても実現できる。
【００４４】
また、上記の対応関係記憶部１２、実施情報記憶部１３やスケジュール記憶部１４などには、半導体メモリ素子や記憶装置を採用できる。例えば、半導体メモリ素子の一例としては、フラッシュメモリ（Flash  Memory）、ＤＲＡＭ（Dynamic  Random  Access  Memory）やＳＲＡＭ（Static  Random  Access  Memory）などが挙げられる。また、記憶装置の一例としては、ハードディスク、光ディスクなどの記憶装置が挙げられる。
【００４５】
［処理の流れ］
図８は、実施例１に係る表示処理の手順を示すフローチャートである。この表示処理は、メインメニュー画面上でスケジュール画面の表示要求を受け付けると（ステップＳ１０１）、表示制御部１７は、対応関係記憶部１２に記憶された部屋番号ごとに当該部屋番号に対応付けられた入居者を取得する（ステップＳ１０２）。
【００４６】
続いて、表示制御部１７は、スケジュール記憶部１４に記憶されたスケジュールの各レコードを取得する（ステップＳ１０３）。その上で、表示制御部１７は、対応関係記憶部１２に記憶された入居者ＩＤのうち入居者ＩＤを１つ選択する（ステップＳ１０４）。
【００４７】
ここで、表示制御部１７は、スケジュール記憶部１４から読み出されたレコードの中に、先に選択された入居者ＩＤを含み、かつ開始時間及び終了時間によって定まる期間に現在時刻を含むか否か、すなわち入居者にスケジュール登録があるか否かを判定する（ステップＳ１０５）。
【００４８】
このとき、スケジュール登録がある場合（ステップＳ１０５Ｙｅｓ）には、表示制御部１７は、当該入居者ＩＤに対応する入居者の表示色をグレーに設定する（ステップＳ１０６）。一方、スケジュール登録がない場合（ステップＳ１０５Ｎｏ）には、表示制御部１７は、当該入居者ＩＤに対応する入居者の表示色をホワイトに設定する（ステップＳ１０７）。
【００４９】
その後、全ての入居者について上記のスケジュール登録の探索を終了するまで（ステップＳ１０８Ｎｏ）、表示制御部１７は、上記のステップＳ１０４〜ステップＳ１０７までの処理を繰返し実行する。
【００５０】
そして、全ての入居者について上記のスケジュール登録の探索を終了すると（ステップＳ１０８Ｙｅｓ）、表示制御部１７は、ステップＳ１０６またはステップＳ１０７で繰返し設定された各入居者の表示色にしたがって部屋番号及び入居者とスケジュールとが対応付けられたスケジュール表を含むスケジュール画面をクライアント端末３０に表示させ（ステップＳ１０９）、処理を終了する。
【００５１】
なお、図８に示すフローチャートでは、ステップＳ１０４〜ステップＳ１０８までの処理をシリアルに繰返し実行する場合を例示したが、ステップＳ１０４〜ステップＳ１０８までの処理は並列処理することもできる。
【００５２】
［効果の一側面］
上述してきたように、本実施例に係るサーバ装置１０は、複数の部屋の各々に対応付けて登録された入居者の一覧を表示させる共に、一覧のうち現時刻で来訪の忌避が登録された入居者とそうでない入居者を識別可能に表示する。したがって、本実施例に係るサーバ装置１０によれば、スタッフの訪問が無駄になるのを抑制できる。
【実施例２】
【００５３】
さて、これまで開示の装置に関する実施例について説明したが、本発明は上述した実施例以外にも、種々の異なる形態にて実施されてよいものである。そこで、以下では、本発明に含まれる他の実施例を説明する。
【００５４】
［識別方法］
上記の実施例１では、忌避のスケジュール登録がある者と忌避のスケジュール登録がない者との間で識別可能に表示する場合に、一方をグレーで表示させ、他方をホワイトで表示させる場合を例示したが、互いに表示態様が異なれば任意の表示態様を採用できる。例えば、忌避のスケジュール登録がある者を反転表示させたり、文字のフォントを変えたりなどの任意の表示態様を採用できる。さらに、上記の忌避区分ごとに表示態様を区別することもできる。このため、不在による忌避以外の場合には、緊急事態の場合に不在であるのか、在室であるのかを判断する時間を短縮できる。
【００５５】
［状況入力の適用範囲］
上記の実施例１では、状況入力を行う場合の一例として、安否確認を例示したが、安否確認以外にも、任意の分野における点呼や点検などの確認にも同様に適用することができる。
【００５６】
［分散および統合］
また、図示した各装置の各構成要素は、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。例えば、上記の実施例１では、クライアントサーバシステムを構築する場合を例示したが、必ずしもクライアントサーバシステムを構築せずともよく、サーバ装置１０が有する各機能部をクライアント端末３０に実装させることによってクライアント端末３０をスタンドアローンで動作させることができる。この場合、対応関係記憶部１２に記憶された情報、実施情報記憶部１３に記憶された情報、スケジュール記憶部１４に記憶された情報またはこれらの全てに記憶された情報をサーバ装置にストレージさせることとしてもよい。
【００５７】
［表示プログラム］
また、上記の実施例で説明した各種の処理は、予め用意されたプログラムをパーソナルコンピュータやワークステーションなどのコンピュータで実行することによって実現することができる。そこで、以下では、図９を用いて、上記の実施例と同様の機能を有する表示プログラムを実行するコンピュータの一例について説明する。
【００５８】
図９は、実施例１及び実施例２に係る表示プログラムを実行するコンピュータの一例について説明するための図である。図９に示すように、コンピュータ１００は、操作部１１０ａと、スピーカ１１０ｂと、カメラ１１０ｃと、ディスプレイ１２０と、通信部１３０とを有する。さらに、このコンピュータ１００は、ＣＰＵ１５０と、ＲＯＭ１６０と、ＨＤＤ１７０と、ＲＡＭ１８０とを有する。これら１１０〜１８０の各部はバス１４０を介して接続される。
【００５９】
ＨＤＤ１７０には、図９に示すように、上記の実施例１で示した受信部１５、登録部１６及び表示制御部１７と同様の機能を発揮する表示プログラム１７０ａが予め記憶される。この表示プログラム１７０ａについては、図２に示した各々の受信部１５、登録部１６及び表示制御部１７の各構成要素と同様、適宜統合又は分離しても良い。すなわち、ＨＤＤ１７０に格納される各データは、常に全てのデータがＨＤＤ１７０に格納される必要はなく、処理に必要なデータのみがＨＤＤ１７０に格納されれば良い。
【００６０】
そして、ＣＰＵ１５０が、表示プログラム１７０ａをＨＤＤ１７０から読み出してＲＡＭ１８０に展開する。これによって、図９に示すように、表示プログラム１７０ａは、表示プロセス１８０ａとして機能する。この表示プロセス１８０ａは、ＨＤＤ１７０から読み出した各種データを適宜ＲＡＭ１８０上の自身に割り当てられた領域に展開し、この展開した各種データに基づいて各種処理を実行する。なお、表示プロセス１８０ａは、図２に示した受信部１５、登録部１６及び表示制御部１７にて実行される処理、例えば図８に示す処理を含む。また、ＣＰＵ１５０上で仮想的に実現される各処理部は、常に全ての処理部がＣＰＵ１５０上で動作する必要はなく、処理に必要な処理部のみが仮想的に実現されれば良い。
【００６１】
なお、上記の表示プログラム１７０ａについては、必ずしも最初からＨＤＤ１７０やＲＯＭ１６０に記憶させておく必要はない。例えば、コンピュータ１００に挿入されるフレキシブルディスク、いわゆるＦＤ、ＣＤ−ＲＯＭ、ＤＶＤディスク、光磁気ディスク、ＩＣカードなどの「可搬用の物理媒体」に各プログラムを記憶させる。そして、コンピュータ１００がこれらの可搬用の物理媒体から各プログラムを取得して実行するようにしてもよい。また、公衆回線、インターネット、ＬＡＮ、ＷＡＮなどを介してコンピュータ１００に接続される他のコンピュータまたはサーバ装置などに各プログラムを記憶させておき、コンピュータ１００がこれらから各プログラムを取得して実行するようにしてもよい。
【符号の説明】
【００６２】
１    状況入力支援システム
５    ネットワーク
１０    サーバ装置
１１    通信Ｉ／Ｆ部
１２    対応関係記憶部
１３    実施情報記憶部
１４    スケジュール記憶部
１５    受信部
１６    登録部
１７    表示制御部
３０Ａ，３０Ｂ，３０Ｃ    クライアント端末
【図１】
2015198311.tif 000003
【図２】
2015198311.tif 000004
【図３】
2015198311.tif 000005
【図４】
2015198311.tif 000006
【図５】
2015198311.tif 000007
【図６】
2015198311.tif 000008
【図７】
2015198311.tif 000009
【図８】
2015198311.tif 000010
【図９】
2015198311.tif 000011